(57)【要約】【課題】  身体各部に取付け易く且つ装着感の良い吸汗布の提供。【解決手段】  吸汗層１の一方の表面に汗を透過させる非吸水性の透水材２が被覆され、その縁部に粘着剤が付着された係止部３を有する帯状またはテープ状の吸汗布。【選択図】        図１
2005052498.tif 000002
【特許請求の範囲】
【請求項１】
汗を吸着保持する吸汗層(1) の一方の表面に、汗を透過させる非吸水性の透水材(2) が被覆され、縁部に止着用の粘着剤が付着された係止部(3) を有する帯状またはテープ状の吸汗布。
【請求項２】
請求項１において、
テープ状に形成され、前記吸汗層(1) の他方の表面にも、非吸水性の透水材(4) が被覆され、テープ状の長手方向の一端縁部に前記係止部(3) が設けられ、足の指に懸回される吸汗布。
【請求項３】
請求項２において、
テープ状の幅方向の一方の縁部に、指元から足の甲側および足裏側に延長するための延長用切目(5) が互いに長手方向に離間して複数設けられた吸汗布。
【請求項４】
請求項２において、
長尺なテープ状に形成され、その長手方向に互いに離間して複数の前記係止部(3) を有し、その係止部(3) に隣接して、テープ切断のための切断用切目(6) が設けられた吸汗布。
【請求項５】
請求項１〜請求項４のいずれかにおいて、
吸汗層(1) に水虫治療薬が含浸または付着された吸汗布。
【請求項６】
請求項１において、
全体が帯状で、幅方向に平行な横断面外周が逆Ｕ字状に曲折または曲折可能にされ、前記吸汗層(1) の他方の表面に汗を透過させない防漏性の防水材(7) が被覆され、いずれかの表面に前記係止部(3) が設けられて、脇の下に取付られる吸汗布。
【請求項７】
請求項６において、
一対の弧状帯材(11)の凸側縁部を接合してなり、その接合面を裏側にして脇の下に当接するように使用される吸汗布。
【請求項８】
請求項１〜請求項７のいずれかにおいて、
吸汗層(1) に殺菌剤、消臭剤、芳香剤のいずれか一以上が含浸あるいは付着された吸汗布。
【発明の詳細な説明】
【技術分野】
【０００１】
本発明は、汗を吸収する帯状またはテープ状の吸汗布に関し、より詳しくは、足の指に巻き付けて水虫の予防および治療を行ったり、直接脇の下或いは衣類の脇の下部に装着して、身体の脇部の汗を吸収する吸汗布に関する。
【背景技術】
【０００２】
足の指の湿気や匂いを吸収し、水虫の予防および治療を行うものとして、テープ状の吸湿性衛生紐が提案されている。これはその長手方向一端に輪を設け、その輪にテープの他端をくぐらせることにより、親指の周りに巻付けられる親指懸回部を設け、それ以外の部分を各足の指間に蛇行状に曲折させるものである。
このように従来の衛生紐は、足指に吸収および脱臭性のある紐を巻付け、足の指の蒸れや匂いを防ぎ、水虫の予防および治療を図るものである。
【特許文献１】特開２００２−１２５９９０号公報
【０００３】
また、脇の下に直接貼り付けて脇の下の汗を吸収し、腋臭の匂い等を有効にとるものとして、平面楕円形状の汗とり絆創膏が提案されている。この絆創膏は、吸湿パットに多数の通気孔を穿設した楕円形状のものであり、外周に粘着剤が付着されたものである。
【特許文献２】実開昭５７−１６９３１３号公報
【発明の開示】
【発明が解決しようとする課題】
【０００４】
従来の水虫用の衛生紐は、紐の端部に輪を設け、そこに紐の他方の端部を通して環状部を形成し、それを親指に挿入すると共に、その紐全体を蛇行状に各指間に巻き付けたものである。しかしながら、水虫の発生部は主として足の薬指・小指が多く、その部分を重点的に吸汗する必要があるが、従来の衛生紐ではそれを充分達し得ないかった。また、その取扱いが不便であった。
さらには、その衛生紐および従来の脇の下の汗とり絆創膏は、その表面に直接汗が付着し、暫くすると汗が皮膚表面に付着して不快感を生じるおそれがある。
そこで本発明は、取付けようとする身体の各部に取付け易く且つ、身体にフィットして長時間、装着感の良好な吸汗布を提供することを課題とする。
【課題を解決するための手段】
【０００５】
請求項１に記載の本発明は、汗を吸着保持する吸汗層(1) の一方の表面に、汗を透過させる非吸水性の透水材(2) が被覆され、縁部に止着用の粘着剤が付着された係止部(3) を有する帯状またはテープ状の吸汗布である。
請求項２に記載の本発明は、請求項１において、
テープ状に形成され、前記吸汗層(1) の他方の表面にも、非吸水性の透水材(4) が被覆され、テープ状の長手方向の一端縁部に前記係止部(3) が設けられ、足の指に懸回される吸汗布である。
【０００６】
請求項３に記載の本発明は、請求項２において、
テープ状の幅方向の一方の縁部に、指元から足の甲側および足裏側に延長するための延長用切目(5) が互いに長手方向に離間して複数の設けられた吸汗布である。
請求項４に記載の本発明は、請求項２において、
長尺なテープ状に形成され、その長手方向に互いに離間して複数の前記係止部(3) を有し、その係止部(3) に隣接して、テープ切断のための切断用切目(6) が設けられた吸汗布である。
【０００７】
請求項５に記載の本発明は、請求項１〜請求項４のいずれかにおいて、
吸汗層(1) に水虫治療薬が含浸または付着された吸汗布である。
請求項６に記載の本発明は、請求項１において、
全体が帯状で、幅方向に平行な横断面外周がＵ字状に曲折または曲折可能にされ、前記吸汗層(1) の他方の表面に汗を透過させない防漏性の防水材(7) が被覆され、いずれかの表面に前記係止部(3) が設けられて、脇の下に取付られる吸汗布である。
【０００８】
請求項７に記載の本発明は、請求項６において、
一対の弧状帯材(11)の凸側縁部を接合してなり、その接合面を裏側にして脇の下に当接するように使用される吸汗布である。
請求項８に記載の本発明は、請求項１〜請求項７のいずれかにおいて、
吸汗層(1) に殺菌剤、消臭剤、芳香剤のいずれか一以上が含浸あるいは付着された吸汗布である。
【発明の効果】
【０００９】
請求項１に記載の本発明によれば、透水材２側を皮膚表面に位置して、係止部３により吸汗布を身体各部に止めることができる。それにより、皮膚表面からの汗を吸汗層１に吸収保持させて、透水材２の存在で長時間皮膚のべたつきを無くし、そこを衛生的に乾燥状態にすることができる。
上記構成において、吸汗層１の他方の表面にも非吸水性の透水材４が被覆され、テープ状の長手方向一端部に係止部３が設けられて、足の指に懸回される吸汗布においては、隣接する足の指から発汗した汗も吸着し、一つの足の指に懸回することによりその両側の足指をも、べたつきなく乾燥して清潔に保つことができる。それにより、水虫等の防止および治療に役立つ。
【００１０】
さらに上記構成において、複数の延長用切目５がテープ状の幅方向の一方の縁部に設けられたものにおいては、指の付根部周縁の水虫治療および予防効果に役立つ。
上記構成において、長尺なテープ状に形成された吸汗布に定間隔に複数の係止部３が設けられ、係止部３に隣接してテープ切断のための切断用切目６が設けられたものにおいては、複数の足の指の水虫治療に便利な吸汗布を提供できる。即ち、切断用切目６によって切り離した複数の吸汗布を複数の足の指に迅速に巻き付けることができる。
【００１１】
上記何れかにおいて、吸汗層１に水虫治療薬が含浸または付着されたものにおいては、さらに水虫の予防および治療効果を高めることができる。
請求項１において、全体が帯状で幅方向に平行な横断面外周が逆Ｕ字状に曲折または曲折可能に形成され、吸汗層１の他方の面に防水材７が被覆され、いずれかの表面に前記係止部(3) が設けられて脇の下に取付けられる吸汗布においては、その脇の下の汗を効果的に吸い取り、ワイシャツや下着を濡らすことがなく、長時間快適で且つ体裁の良い吸汗布を提供できる。
【００１２】
上記構成において、弧状帯材(11)の凸側縁部を接合し、その接合面を裏側にして脇の下に当接したものにおいては、脇の下の曲線に整合した吸汗布を容易に製造できると共に、それを脇の下に付着させたとき、突出した接合部(10)が接触することを防止し快適な脇の下用の吸汗布を提供できる。
上記何れかの構成において、吸汗層１に殺菌剤、消臭剤、芳香剤の何れか一以上が含浸または付着されたものにおいては、汗の腐敗による匂いの発生を確実に防止することができる。
【発明を実施するための最良の形態】
【００１３】
次に、図面に基づいて本発明の実施の形態を説明する。
図１は本発明の吸汗布であって、水虫の予防および治療用のものであり、（Ａ）はその斜視略図、（Ｂ）は同横断面拡大図、（Ｃ）は使用状態を示す斜視図、（Ｄ）は（Ｃ）の縦断面図である。
この吸汗布８は、テープ状に形成されて汗を吸着保持する吸汗層１の表面側および裏面側に、汗を透過させる非吸水性の透水材２，透水材４が被覆されている。
吸汗層１は一例として、綿状パルプ或いは吸収紙、さらにはそれらに吸収性ポリマー等の粒状または粉状体を混合したものを利用することができる。
透水材２および透水材４は、従来知られている疎水性の織布または不織布を用いることができる。
【００１４】
この透水材２，透水材４は非吸水性のものであり、吸汗層１が吸収した汗を身体の肌に接触させないためのものである。そして、この透水材４の隙間を通過して汗が吸汗層１に吸収される。
吸汗層１と透水材２および透水材４との合計の厚みは、自由状態で１〜４ｍｍ程度が好ましく、それを圧着状態では０．１〜１ｍｍ程度になる弾力性のあるものが好ましい。
吸汗布８の長手方向一端には粘着剤が付着され、それが係止部３を構成する。粘着剤表面には、通常、剥離紙が付着されている。
なお、吸汗層１には水虫治療薬を含浸または塗布することが好ましい。その治療薬としては、白癬菌の殺菌或いは増殖予防となる公知のものであって、液体状・練り状の何れでも良い。
【００１５】
このようにしてなる吸汗布８は、係止部３上の剥離紙を剥がし、図１（Ｃ）（Ｄ）の如く、足の指の外周に巻付け、係止部３によってその巻付け状態を保持させればよい。このとき、一方の面の透水材２は巻付けられた指の内面側に位置し、他方の面の透水材４は外面側に位置して隣接する足の指に接触する。その結果、巻付けられた指のみならず、隣接する両側の指の汗をも透水材４を介し吸汗層１に吸収することができる。それにより、特に、各指の間に溜まり易い汗を効率良く吸汗層１に吸収することができる。吸汗層１に吸収された汗は、その吸汗層１の両側に透水材２，透水材４が存在するため、保持された汗が直接指の皮膚表面に付着することがない。
【００１６】
次に、図２は本発明の水虫治療用の吸汗布の他の例であり、（Ａ）〜（Ｃ）はその製造工程を順に示すものである。この吸汗布は先ず、（Ａ）の如く、帯状の吸汗層１の外周に、それより薄く幅が２幅より少し広い透水材２を巻き込むように被覆する。そしてその縁部どうしが幅方向中央で重なるようにする。次に、（Ｂ）の如く、その幅方向中央の両面を圧着成形して溝状圧着部11ａをその両面に形成する。次に、（Ｃ）の如く、適宜長さごとに幅方向に圧着すると共にそこで切断して、圧着・切断部12ａを形成する。その適宜長さは足の指のいずれも懸回できるに充分な長さとする。そして、その長手方向の一端部に粘着剤が付着された係止部３を設けて吸汗布８を完成するものである。このように構成することにより、量産性がよく且つ、溝状圧着部11ａの存在により通気性のさらによい吸汗布となり得る。また、吸汗層１の両側にも透水材２が被覆されているため、その部分に触れる足の指のべたつきを防止できる。
【００１７】
次に、図３は本発明の水虫治療用の吸汗布の他の例であり、この例は、複数の吸汗布８が連続したものであり、適宜間隔毎に粘着剤からなる係止部３が設けられると共に、係止部３に隣接しテープ切断のための切断用切目６が設けられたものである。
この吸汗布８は、切断用切目６を境にその両側を引っ張ることにより、必要な長さの吸汗布８を取り出すことができ、夫々の吸汗布８を足の各指に巻き付けることができる。他の構造は、図１（Ａ）のそれと同様である。なお、この吸汗布を図２のそれと同様に形成し、その圧着・切断部に切断用切目を形成することもできる。
【００１８】
次に、図４は本発明の第４の実施の形態を示す吸汗布であって、水虫の予防或いは治療用に用いるものである。そして（Ａ）はその斜視図、（Ｂ）は同使用状態を示す斜視図である。この例が図１の（Ａ）と異なる点は、テープの幅方向の一方の縁部に多数の延長用切目５が互いに長手方向に離間して定間隔に形成されたことである。
この延長用切目５は、指元から足の甲側および足裏側に吸汗布を延長するためのものである。そして図４（Ｂ）の如く、吸汗布８を足の指に巻付けたとき、隣接する延長用切目５間の部分が足の甲側および足裏側に突出しそこに延長部９が形成される。
また、足の指間の延長部９は折り曲げられ、隣接する指にそれが接触する。なお、この延長部９の皮膚当接側に粘着剤を付着することもできる。その場合には、その延長部９を足に固定することができる。また、他の構造は図１（Ａ）のそれと同一である。
【００１９】
次に、図５は本発明の吸汗布の第５の実施の形態であり、脇の下に配置されるものである。これは全体が帯状で幅方向に平行な横断面外周を逆Ｕ字状に曲折することができるものであり、使用以前の状態では平坦に形成されたものであっも良い。或いは、予め図のように曲折形成されたものであっても良い。
この例の吸汗布８は、吸汗層１の表面側に透水材２が被覆され、裏面側に防水材７が被覆されている。この防水材７は、汗を透過させない防漏性のものであり、皮膜状のものが好ましい。防水材７の縁部には、複数ヶ所に粘着剤が付着された係止部３が設けられ、その表面に剥離紙が付着されている。
【００２０】
この例の吸汗布８は、シャツやワイシャツ等の脇の下部分に係止部３を介して貼着されるものである。この吸汗布８の厚みは、図１のそれよりも厚い方が好ましく、自由状態では２〜１０ｍｍ程度の厚みであり、圧着状態では０．５〜３ｍｍ程度の弾性的なものが好ましい。
なお、吸汗層１および透水材２の材料の一例としては図１のそれらと同一である。
【００２１】
次に、図６は本発明の吸汗布の第６の実施の形態であり、これも脇の下に配置されるものであり、図６（Ａ）は吸汗布の斜視図であり、（Ｂ）はその横断面図である。
この例が図５のそれと異なる点は、吸汗布８全体が予め逆Ｕ字状に形成され、その頂部が図６（Ｂ）の如く肉厚に形成されている。即ち、吸汗層１の上端部が肉厚となっている。吸汗層１の外面側には透水材２が、内面側には防水材７が図５と同様に形成されている。
【００２２】
なお、この例では透水材２側に粘着剤からなる係止部３が付着され、その表面に剥離紙が貼着されている。この吸汗布８は、直接係止部３が身体の皮膚に付着する構造である。  また、この吸汗布８の裏面側である防水材７の表面にも係止部３を設け、それをシャツ等の脇の下部分に付着させても良い。即ち、透水材２の表面側の係止部３を取り除き、防水材７側にそれを配置しても良い。或いは、透水材２側および防水材７側に夫々係止部３を設けても良い。
【００２３】
次に、図７は本発明の吸汗布の第７の実施の形態であり、図５および図６と同様に脇の下に配置され、（Ａ）はその使用状態を示す斜視図、（Ｂ）は持ち運びの便に畳んだ状態を示し、（Ｃ）は（Ｂ）のＣ−Ｃ断面図である。
この例は（Ｂ）（Ｃ）の如く、一対の弧状帯材11の図において下縁部を互いに接合して、そこに接合部10を形成したものである。そしてそれを（Ｃ）の矢印の如く広げ、下方に曲げることにより、（Ａ）の如く形成される。（Ｂ）において、一見逆側（凸陥側）を接合すると図７の如く形成されるように思えるが、実験の結果（Ｂ）のように凹側の縁部を接合することにより、それをひっくり返したとき、そこに加わる歪み力により（Ａ）の如く形成されることがわかった。
【００２４】
そして、使用状態で身体の表面側に透水材２が裏面側に防水材７が配置され、それらの間に吸汗層１が配置される。また、この例では透水材２側に係止部３が設けられているが、それを防水材７側に設け或いは両者に設けても良い。このように形成することにより、吸汗布８の表面側中央は、脇の下の曲線に整合した形となり且つ、そこに突出部は形成されず、皮膚に接触したとき違和感を生じない。なお、他の構成は図５および図６のそれと同一である。
【００２５】
次に、図８は本発明の吸汗布のさらに他の実施の形態を示し、この例は継目12が両端部を除いて形成され、それを図７と同様に図示しない裏面側で接合し、そこに接合部10が設けられたものである。
このような吸汗布８は、一例として図９の手順により製造することができる。例えば、図９（Ａ）の如く外周を楕円形、内周を円形または楕円形に形成し、それを図９（Ｂ）の如く短径で折り曲げ、内周縁を接合した後に広げることにより、図８のような吸汗布８を形成することが可能である。このようにすることにより、脇の下にフィットするフィット感の良好な吸汗布８を提供できる。
なお、この例は透水材２側に係止部３が設けられているが、それを防水材７側或いは両者に設けても良い。
【図面の簡単な説明】
【００２６】
【図１】本発明の第１の実施の形態を示す吸汗布。
【図２】同第２の実施の形態を示す吸汗布の製造工程説明図。
【図３】同第３の実施の形態を示す吸汗布。
【図４】同第４の実施の形態を示す吸汗布。
【図５】同第５の実施の形態を示す吸汗布。
【００２７】
【図６】同第６の実施の形態を示す吸汗布。
【図７】同第７の実施の形態を示す吸汗布。
【図８】同第８の実施の形態を示す吸汗布。
【図９】図９の実施の形態の吸汗布９の製造手順を示す説明図。
【符号の説明】
【００２８】
１  吸汗層
２  透水材
３  係止部
４  透水材
５  延長用切目
６  切断用切目
【００２９】
７  防水材
８  吸汗布
９  延長部
10  接合部
11  弧状帯材
11ａ  溝状圧着部
12  継目
12ａ  圧着・切断部
【図１】
2005052498.tif 000003
【図２】
2005052498.tif 000004
【図３】
2005052498.tif 000005
【図４】
2005052498.tif 000006
【図５】
2005052498.tif 000007
【図６】
2005052498.tif 000008
【図７】
2005052498.tif 000009
【図８】
2005052498.tif 000010
【図９】
2005052498.tif 000011